(57)【要約】【課題】本発明は、紙資料を容易に出し入れでき、積重ねて保存することができ、組立てるまではコンパクトであり、容易に組立てることができる書類収納ケースを提供する。【解決手段】底面板の左右側に左側面板及び右側面板が立設され、前側には前面内板が屈曲自在に連設され、後側には後面板が立設され、該後面板には天面板が連設され、天面板には前面外板が屈曲自在に連設されて、箱状に形成されており、天面板は後面板側の第１の天面板と前面外板側の第２の天面板に屈曲自在に区画され、第１の天面板の両側には後面板の高さと略同一長さの第１の係止片が屈曲可能に連設され且つ屈曲部に第１の貫通孔が穿設されており、第１の係止片は先端部が底面板に略接するように左側面板及び右側面板の内側に屈曲され、左側面板及び右側面板の外方に連設された第２の係止片が該第１の貫通孔に嵌入されており、第２の天面板は上方に屈曲自在になされていることを特徴とする書類収納ケース。【選択図】図７
2008290436.tif 000002
【特許請求の範囲】
【請求項１】
底面板の左右側に左側面板及び右側面板が立設され、前側には前面内板が屈曲自在に連設され、後側には後面板が立設され、該後面板には天面板が連設され、天面板には前面外板が屈曲自在に連設されて、箱状に形成されており、天面板は後面板側の第１の天面板と前面外板側の第２の天面板に屈曲自在に区画され、第１の天面板の両側には後面板の高さと略同一長さの第１の係止片が屈曲可能に連設され且つ屈曲部に第１の貫通孔が穿設されており、第１の係止片は先端部が底面板に略接するように左側面板及び右側面板の内側に屈曲され、左側面板及び右側面板の外方に連設された第２の係止片が該第１の貫通孔に嵌入されており、第２の天面板は上方に屈曲自在になされていることを特徴とする書類収納ケース。
【請求項２】
底面板の左右側に凹溝を介して左側面板及び右側面板が屈曲可能に連設され、前側には途中に第２の貫通孔が形成された凹溝を介して屈曲可能に前面内板が連設され、後側にはそれぞれ凹溝を介して順次後面板、天面板及び前面外板が屈曲可能に連設され、前面外板の後側には第２の貫通孔に嵌入可能な第３の係止片が凹溝を介して屈曲可能に連設されており、天面板は後面板側の第１の天面板と前面外板側の第２の天面板に凹溝により屈曲可能に区画され、第１の天面板の両側に途中に第１の貫通孔が形成された凹溝を介して第１の係止片が屈曲可能に連設され、第２の天面板の両側に凹溝を介して第４の係止片が屈曲可能に連設されており、左側面板及び右側面板には第２の貫通孔に嵌入可能な第２の係止片が凹溝を介して屈曲可能に連設されると共に途中に第４の係止片が嵌入可能な第３の貫通孔が形成された凹溝を介して第５の係止片が連設されているポリプロピレン樹脂シートを凹溝に沿って屈曲し、第２の係止片を第１の貫通孔に、第３の係止片を第２の貫通孔にそして第４の係止片を第５の貫通孔に挿入すると共に第１の係止片及び第５の係止片を内方に屈曲してなることを特徴とする請求項１記載の書類収納ケース。
【発明の詳細な説明】
【技術分野】
【０００１】  本発明は、書類を収納保存することのできる書類収納ケースに関する。
【背景技術】
【０００２】  パソコン導入によるペーパーレス化はデータ化作業が煩雑なこともあって進展せず、依然としてオフィス内には多量の紙資料が存在し、雑然とした景観を呈している。このような紙資料を収納保存するには、一般に、上面を斜めに開放した前後方向が偏平な直方体状の板紙、段ボール紙、プラスチックシート等で製造された収納容器に直接又はバインダーにファイルして収納して保管していた。【０００３】  しかしながら、上記収納容器に紙資料を直接収納すると、紙資料が屈曲してしまうというという欠点があり、バインダーにファイルして収納する必要があるので面倒であり、積重ねて保管することはできなかった。又、上記収納容器はオフィス内で保管するには適しているが持ち運びすることはできなかった。【０００４】  持ち運びできる収納容器としては、例えば、下端にそれぞれ底面板を連設した前面板、左右の側面板、後面板を左右に連設し、該前面板の上端に折り目線を介して天面外板を、後面板の上端には折り目線を介して天面内板を設けた直方体状の、パンフレットやカタログなどの資料を収容する板紙製や段ボール製やプラスチックシート製などの収納容器において、前記前面板の上部に横長の投入口を設け、前記天面内板に折り目線を介して可動封止板を連設したことを特徴とする収納ケース（例えば、特許文献１参照。）が提案されている。
【特許文献１】  特開平１１−０５９０４８号公報
【０００５】  上記収納ケースは紙資料を容易に収納可能で持ち運びすることができるが、一度収納した紙資料を取り出すことは困難であり、特に、積み重ねて保存した場合に紙資料を出し入れすることは困難であった。
【発明の開示】
【発明が解決しようとする課題】
【０００６】  本発明の目的は、上記問題点に鑑み、紙資料を容易に出し入れすることが可能で積み重ねて保存することができ、且つ、組立てるまでは保存に場所をとらず、容易に組立てることができる書類収納ケースを提供することにある。
【課題を解決するための手段】
【０００７】  本発明の書類収納ケースは、底面板の左右側に左側面板及び右側面板が立設され、前側には前面内板が屈曲自在に連設され、後側には後面板が立設され、該後面板には天面板が連設され、天面板には前面外板が屈曲自在に連設されて、箱状に形成されており、天面板は後面板側の第１の天面板と前面外板側の第２の天面板に屈曲自在に区画され、第１の天面板の両側には後面板の高さと略同一長さの第１の係止片が屈曲可能に連設され且つ屈曲部に第１の貫通孔が穿設されており、第１の係止片は先端部が底面板に略接するように左側面板及び右側面板の内側に屈曲され、左側面板及び右側面板の外方に連設された第２の係止片が該第１の貫通孔に嵌入されており、第２の天面板は上方に屈曲自在になされていることを特徴とする。【０００８】  本発明の書類収納ケースは、底面板の左右側に凹溝を介して左側面板及び右側面板が屈曲可能に連設され、前側には途中に第２の貫通孔が形成された凹溝を介して屈曲可能に前面内板が連設され、後側にはそれぞれ凹溝を介して順次後面板、天面板及び前面外板が屈曲可能に連設され、前面外板の後側には第２の貫通孔に嵌入可能な第３の係止片が凹溝を介して屈曲可能に連設されており、天面板は後面板側の第１の天面板と前面外板側の第２の天面板に凹溝により屈曲可能に区画され、第１の天面板の両側に途中に第１の貫通孔が形成された凹溝を介して第１の係止片が屈曲可能に連設され、第２の天面板の両側に凹溝を介して第４の係止片が屈曲可能に連設されており、左側面板及び右側面板には第２の貫通孔に嵌入可能な第２の係止片が凹溝を介して屈曲可能に連設されると共に途中に第４の係止片が嵌入可能な第３の貫通孔が形成された凹溝を介して第５の係止片が連設されているポリプロピレン樹脂シートを凹溝に沿って屈曲し、第２の係止片を第１の貫通孔に、第３の係止片を第２の貫通孔にそして第４の係止片を第５の貫通孔に挿入すると共に第１の係止片及び第５の係止片を内方に屈曲して形成されるのが好ましい。【０００９】  本発明の書類収納ケースを構成する材料は、特に限定されず、例えば、板紙；段ボール；ポリエチレン樹脂、ポリプロピレン樹脂、ポリカーボネート樹脂等のプラスチックシート等が挙げられるが、製造のし易さ、書類収納ケースの機械的強度等の観点からポリプロピレン樹脂シートが好ましい。ポリプロピレン樹脂シートの厚みは、薄くなると機械的強度が低下し、紙書類を収納しにくくなったり、積み重ねて保存するとつぶれたりし、厚くなると重たくなって使用しにくくなるので、０．５〜１ｍｍが好ましい。
【発明の効果】
【００１０】  本発明の書類収納ケースの構成は上述の通りであり、紙資料を容易に出し入れすることが可能で積み重ねて保存することができる。又、ポリプロピレン樹脂シートを打抜き、打抜く際に屈曲すべき部位の凹溝を穿設すると共に所定位置に貫通孔を形成することにより、書類収納ケースを組み立てるためのシートを容易に製造でき、組立てるまでは場所をとらずに保存でき、凹溝に沿って屈曲することにより容易に組立てることができる。
【発明を実施するための最良の形態】
【００１１】  次に本発明の実施例を図面を参照して説明するが、本発明は下記実施例に限定されるものではない。【００１２】  図１は本発明の書類収納ケースを組み立てるためのポリプロピレン樹脂シートの斜視図であり、図２は要部を示す斜視図である。ポリプロピレン樹脂シートは、厚さ０．７ｍｍの大判のポリプロピレン樹脂シートを打抜くことにより形成されている。【００１３】  図中１は長方形の底面板であり、底面板１の左側に凹溝２を介して左側面板３が連設され、右側に凹溝２１を介して右側面板３１が連設され、左側面板３及び右側面板３１はそれぞれ凹溝２及び凹溝２１に沿って屈曲可能になされている。底面板１の前側には凹溝２２を介して前面内板４が連設され、凹溝２２に沿って屈曲可能になされている。又、凹溝２２の途中に第２の貫通孔５が２つ形成されている。【００１４】  底面板１の後側には凹溝２３を介して後面板６が連設され、後面板６には凹溝２４を介して天面板７が連設され、天面板７には凹溝２５を介して前面外板８が連設されており、底面板１と後面板６は凹溝２３に沿って屈曲可能になされ、後面板６と天面板７は凹溝２４に沿って屈曲可能になされ、天面板７と前面外板８は凹溝２３に沿って屈曲可能になされている。【００１５】  前面外板８の後側には第２の貫通孔５に嵌入可能な第３の係止片９、９が凹溝２６を介して連設され、前面外板８と係止片９、９は凹溝２６、２６に沿って屈曲可能になされている。【００１６】  天面板７は後面板６側の第１の天面板７１と前面外板８側の第２の天面板７２に凹溝２７により区画され、第１の天面板７１と第２の天面板７２は凹溝２７に沿って屈曲可能になされている。第１の天面板７１の両側に凹溝２８、２８を介して第１の係止片９１、９１が連設され、第１の天面板７１と第１の係止片９１は凹溝２８に沿って屈曲可能になされており、凹溝２８、２８の途中に第１の貫通孔５１、５１が形成されている。第１の係止片９１の長さは後面板６の高さと略同一長になされている。又、第２の天面板７２の両側に凹溝２９、２９を介して第４の係止片９２、９２が連設され、第２の天面板７２と第４の係止片９２は凹溝２９に沿って屈曲可能になされている。【００１７】  前記左側面板３及び右側面板３１には第１の貫通孔５１、５１に嵌入可能な第２の係止片９３、９３が凹溝２１１、２１１を介して連設され、左側面板３及び右側面板３１と第２の係止片９３、９３は凹溝２１１、２１１に沿って屈曲可能になされている。又、左側面板３及び右側面板３１には第５の係止片９４、９４が凹溝２１２、２１２を介して連設され、左側面板３及び右側面板３１と第３の係止片９４、９４は凹溝２１２、２１２に沿って屈曲可能になされており、凹溝２１２、２１２の途中に第４の係止片９２、９２が嵌入可能な第３の貫通孔５２、５２が形成されている。【００１８】  尚、９５、９５は前面内板４の両側に凹溝２１３、２１３を介して連設された第６の係止片であり、前面内板４と第６の係止片９５、９５は凹溝２１３、２１３に沿って屈曲可能になされている。第６の係止片９５の２辺は前面内板４及び左側面板３（右側面板３１）の高さと略同一になされ、他の辺は略円形になされており、組み立てた際に書��収納ケースの内側に滑らかに挿入可能になるようになされている。【００１９】  上記凹溝の深さは、特に限定されるものではないが、凹溝はヒンジ効果を奏するものであるから、深くなると使用中に破断してしまい、浅くなるとヒンジ効果がなくなって屈曲すると割れてしまうので、ポリプロピレン樹脂シートの厚さの５０〜９０％が好ましく、厚さが０．７ｍｍの場合は０．３５〜０．６ｍｍが好ましい。又、凹溝はポリプロピレン樹脂シートのどちらの面に穿設してもよい。【００２０】  図３〜図６は図１に示したポリプロピレン樹脂シートを用いて本発明の書類収納ケースの組立方法を示す斜視図である。上記ポリプロピレン樹脂シートを用いて書類収納ケースの組み立てるには、まず、凹溝２３に沿って後面板６が底面板１に対し略直角になるように凹溝２３側に屈曲すると共に凹溝２４に沿って第１の天面板７１が後面板６に対し略直角になるように凹溝２４側に屈曲する。更に、第１の係止片９１、９１を凹溝２８、２８に沿って第１の天面板７１に対し略直角になり、その先端部が底面板１に略接するように凹溝２８側に屈曲する。【００２１】  次に、左側面板３及び右側面板３１を凹溝２及び２１に沿って左側面板３及び右側面板３１が底面板１に対し略直角になるように凹溝２及び２１側に屈曲すると共に第２の係止片９３、９３を凹溝２１１、２１１に沿って左側面板３及び右側面板３１に対し略直角になるように凹溝２１１、２１１側に屈曲し、第１の貫通孔５１、５１に嵌入して底面板１、後面板６、第１の天面板７１、左側面板３及び右側面板３１を固定する。このように固定することにより、紙資料を出し入れする際に片手で保持可能にこの部分の機械的強度が大きくなる。【００２２】  又、第２の天面板７２は凹溝２７に沿って凹溝２７と反対側（上方）に屈曲すると共に第４の係止片９２、９２を凹溝２９、２９に沿って、第２の天面板７２と第４の係止片９２が略直角になるように凹溝２９側（下方）に屈曲する。第５の係止片９４、９４を左側面板３及び右側面板３１に対し略直角になるように凹溝２１２、２１２に沿って凹溝２１２側に屈曲し、前記第２の天面板７２を凹溝２７に沿って下方に屈曲することにより、第４の係止片９２、９２を第３の貫通孔５２、５２に嵌入して第２の天面板７２を左側面板３及び右側面板３１に固定する。【００２３】  尚、第５の係止片９４、９４を左側面板３及び右側面板３１に対し平行になるまで屈曲し、第４の係止片９２、９２が第３の貫通孔５２、５２に嵌入可能に、第５の係止片９４、９４の先端部と左側面板３及び右側面板３１を接着して袋状にしてもよい。上記接着方法は、従来公知の任意の方法が採用されてよく、例えば、ポリエステル系、ポリオレフィン系、ウレタン系等のホットメルト型接着剤で接着する方法、反応性接着剤、エポキシ系接着剤、ウレタン系接着剤、ポリエステル系接着剤、ゴム系接着剤等の接着剤で接着する方法、熱融着する方法、高周波（超音波）接着する方法等が挙げられる。【００２４】  第６の係止片９５、９５は凹溝２１３、２１３に沿って前面内板４に対し略直角になるように凹溝２１３、２１３側に屈曲しておき、前面内板４を凹溝２２に沿って凹溝２２側に底面板１に対し略直角になるよ��に屈曲することにより、第６の係止片９５、９５を左側面板３及び右側面板３１の内側になるように形成する。【００２５】  最後に、前面外板８を凹溝２５に沿って第２の天面板７２に対し略直角になるように凹溝２５側に屈曲すると共に第３の係止片９、９を凹溝２６、２６に沿って前面外板８に対し略直角になるように凹溝２６側に屈曲し、第３の係止片９、９を第２の貫通孔５、５に嵌入して書類収納ケースの組立を終了する。【００２６】  図７は本発明の書類収納ケースの使用状態を示す斜視図である。本発明の書類収納ケースに紙資料を収納するには、第３の係止片９、９を第２の貫通孔５、５から引出し、第２の天面板７２を凹溝２７に沿って上方に屈曲することにより、第２の天面板７２、前面外板８及び第３の係止片９を上方に移動させ、前面内板４を凹溝２２に沿って下方に屈曲することにより開口部を形成し、紙資料を収納する。この際、第６の係止片９５、９５は紙資料のガイドとして作用する。【００２７】  又、書類収納ケースを積重ねている際のように、第２の天面板７２を凹溝２７に沿って上方に屈曲することができない場合には、第３の係止片９、９を第２の貫通孔５、５から引出し、前面外板８を凹溝２５に沿って上方に屈曲することにより、前面外板８及び第３の係止片９を上方に移動させ、前面内板４を凹溝２２に沿って下方に屈曲することにより開口部を形成し、紙資料を収納すればよい。紙資料を取出すには上述の通り開口部を形成して紙資料を取出せばよい。
【図面の簡単な説明】
【００２８】
【図１】本発明の書類収納ケースを組み立てるためのポリプロピレン樹脂シートの一例を示す斜視図である。
【図２】図１の要部を示す斜視図である。
【図３】書類収納ケースの組立方法を示す斜視図である。
【図４】書類収納ケースの組立方法を示す斜視図である。
【図５】書類収納ケースの組立方法を示す斜視図である。
【図６】本発明の書類収納ケースの一例を示す斜視図である。
【図７】本発明の書類収納ケースの使用状態を示す斜視図である。
【符号の説明】
【００２９】１  底面板
２  凹溝
３  左側面板
４  前面内板
５  第２の貫通孔
６  後面板
７  天面板
８  前面外板
９  第３の係止片
【図１】
2008290436.tif 000003
【図２】
2008290436.tif 000004
【図３】
2008290436.tif 000005
【図４】
2008290436.tif 000006
【図５】
2008290436.tif 000007
【図６】
2008290436.tif 000008
【図７】
2008290436.tif 000009